【手続補正書】
【提出日】平成29年11月27日(2017.11.27)
【手続補正１】
【補正対象書類名】特許請求の範囲
【補正対象項目名】全文
【補正方法】変更
【補正の内容】
【特許請求の範囲】
【請求項１】
基板と、
前記基板に結合されたディスプレイと、
前記ディスプレイに近接する圧電マイクロメカニカル超音波トランスデューサ（ＰＭＵＴ）アレイであって、前記ＰＭＵＴアレイの少なくとも一部が前記基板上に存在する、ＰＭＵＴアレイと、
複数の薄膜トランジスタ（ＴＦＴ）であって、前記ＴＦＴの少なくとも第１のアレイが前記基板上に存在し且つ前記ディスプレイを制御するための回路を含み、前記ＴＦＴの少なくとも第２のアレイが前記基板上に存在し且つ前記ＰＭＵＴアレイの少なくとも一部を制御するための回路を含む、複数のＴＦＴと、
制御システムと
を備えるディスプレイデバイス。
【請求項２】
前記制御システムが、
前記ＰＭＵＴアレイの少なくとも一部を低周波数モードまたは高周波数モードのうちの少なくとも１つで動作させるかどうかの決定を行い、
前記決定に従って前記低周波数モードまたは前記高周波数モードのうちの少なくとも１つで動作させるように前記ＰＭＵＴアレイの少なくとも一部を制御する、
請求項１に記載のディスプレイデバイス。
【請求項３】
インターフェースシステムをさらに備え、前記決定が少なくとも部分的に前記インターフェースシステムから受信した入力に従って行われる、請求項２に記載のディスプレイデバイス。
【請求項４】
前記低周波数モードが約５０ｋＨｚ〜２００ｋＨｚの周波数範囲に対応する、請求項２に記載のディスプレイデバイス。
【請求項５】
前記低周波数モードがジェスチャ検出モードに対応し、前記ディスプレイに近い自由空間ジェスチャが検出される、請求項２に記載のディスプレイデバイス。
【請求項６】
前記高周波数モードが約１ＭＨｚ〜２５ＭＨｚの周波数範囲に対応する、請求項２に記載のディスプレイデバイス。
【請求項７】
前記高周波数モードが指紋センサモードまたはスタイラス検出モードに対応する、請求項２に記載のディスプレイデバイス。
【請求項８】
前記制御システムが、前記ＰＭＵＴアレイが前記指紋センサモードで動作する間に取得された指紋データに少なくとも部分的に基づいて認証処理を実行する、請求項７に記載のディスプレイデバイス。
【請求項９】
メモリシステムをさらに含み、前記認証処理が、
前記ディスプレイデバイスの表面上に少なくとも１つの指を置くように前記ディスプレイを介してプロンプトを提供することと、
前記ＰＭＵＴアレイの少なくとも一部を介して少なくとも１つの指紋画像を受信することと、
前記少なくとも１つの指紋画像に対応する受信指紋データを決定することと、
前記受信指紋データを前記メモリシステム内に記憶された指紋データと比較することと
を含む、請求項８に記載のディスプレイデバイス。
【請求項１０】
前記制御システムが、
前記ＰＭＵＴアレイの少なくとも一部を前記高周波数モード、前記低周波数モードまたは中周波数モードで動作させるかどうかの決定を行い、
前記決定に従って前記ＰＭＵＴアレイの少なくとも一部を前記高周波数モード、前記低周波数モードまたは前記中周波数モードで動作するように制御する、
請求項２に記載のディスプレイデバイス。
【請求項１１】
前記ディスプレイデバイスが、前記制御システムが前記ＰＭＵＴアレイの少なくとも一部を前記中周波数モードで動作するように制御している際に、タッチセンサ機能を提供する、請求項１０に記載のディスプレイデバイス。
【請求項１２】
前記中周波数モードが約２００ｋＨｚ〜１ＭＨｚの周波数範囲に対応する、請求項１０に記載のディスプレイデバイス。
【請求項１３】
前記制御システムが、前記ＰＭＵＴアレイの第１のＰＭＵＴ素子を前記低周波数モードで動作するように制御し、前記ＰＭＵＴアレイの第２のＰＭＵＴ素子を前記高周波数モードで動作するように制御する、請求項２に記載のディスプレイデバイス。
【請求項１４】
前記制御システムが、前記ＰＭＵＴアレイのＰＭＵＴ素子を前記低周波数モードで動作するとともに前記高周波数モードで動作するように制御する、請求項２に記載のディスプレイデバイス。
【請求項１５】
前記ＰＭＵＴアレイが、圧電マイクロメカニカル超音波トランスデューサ（ｐＭＵＴ）アレイまたは容量式マイクロメカニカル超音波トランスデューサ（ｃＭＵＴ）アレイである、請求項１に記載のディスプレイデバイス。
【請求項１６】
前記制御システムが、波面ビームフォーミング、ビームステアリング、受信側ビームフォーミング、または戻り信号の選択読出しのうちの少なくとも１つのために前記ＰＭＵＴアレイの少なくとも一部をアドレス指定する、請求項１に記載のディスプレイデバイス。
【請求項１７】
前記制御システムが、実質的に平面状、球状、または円筒状の波面を生成するために前記ＰＭＵＴアレイの少なくとも一部をアドレス指定する、請求項１６に記載のディスプレイデバイス。
【請求項１８】
前記制御システムが、少なくとも１つの場所において強め合うまたは弱め合う干渉を生成するために前記ＰＭＵＴアレイの少なくとも一部をアドレス指定する、請求項１６に記載のディスプレイデバイス。
【請求項１９】
前記制御システムが、前記ＰＭＵＴアレイのＰＭＵＴ素子を励起させ、同じＰＭＵＴ素子を介して応答を検出する、請求項１に記載のディスプレイデバイス。
【請求項２０】
前記制御システムが、前記ＰＭＵＴアレイの第１のＰＭＵＴ素子を音響送信機として制御し、前記ＰＭＵＴアレイの第２のＰＭＵＴ素子を音響受信機として制御する、請求項１に記載のディスプレイデバイス。
【請求項２１】
前記ＰＭＵＴアレイの少なくとも一部がアクティブマトリクスＰＭＵＴアレイである、請求項１に記載のディスプレイデバイス。
【請求項２２】
前記アクティブマトリクスＰＭＵＴアレイが駆動回路と感知回路とを含む、請求項２１に記載のディスプレイデバイス。
【請求項２３】
前記アクティブマトリクスＰＭＵＴアレイが、行および列アドレス指定回路、マルチプレクサ回路、デマルチプレクサ回路、ローカル増幅回路、またはアナログ‐デジタル変換回路のうちの少なくとも１つを含む、請求項２１に記載のディスプレイデバイス。
【請求項２４】
前記ＰＭＵＴアレイの少なくとも一部が前記ディスプレイの一部のみの背後に配置されている、請求項１に記載のディスプレイデバイス。
【請求項２５】
前記ＰＭＵＴアレイの少なくとも一部が前記ディスプレイの周辺領域内に配置されている、請求項１に記載のディスプレイデバイス。
【請求項２６】
前記制御システムが、指紋センサ機能、署名パッド機能、スタイラス検出機能、ジェスチャ検出機能、またはボタン機能のうちの少なくとも１つために前記ディスプレイの周辺領域内に配置された前記ＰＭＵＴアレイの一部を制御する、請求項１に記載のディスプレイデバイス。
【請求項２７】
前記ＰＭＵＴアレイの少なくとも一部が前記ディスプレイの実質的にすべての背後に配置されている、請求項１に記載のディスプレイデバイス。
【請求項２８】
前記基板がガラス基板である、請求項１に記載のディスプレイデバイス。
【請求項２９】
前記ＰＭＵＴアレイの少なくとも一部を制御するための回路、および前記ディスプレイを制御するための回路が、フレックスケーブルを共有する、請求項１に記載のディスプレイデバイス。
【請求項３０】
カバーガラスと、
前記カバーガラス上に配置された電極と
をさらに備え、前記電極が、前記ＰＭＵＴアレイの少なくとも一部を制御するための回路への上面の電気的接続のために構成されている、請求項１に記載のディスプレイデバイス。
【請求項３１】
前記電極が、前記ディスプレイの周辺部上に配置された少なくとも１つのＰＭＵＴ素子のための回路との接続のために構成されている、請求項３０に記載のディスプレイデバイス。
【請求項３２】
前記ＰＭＵＴアレイの単一のＰＭＵＴ素子が、前記ディスプレイの単一のピクセルに対応する、請求項１に記載のディスプレイデバイス。